(57)【要約】      （修正有）【課題】紙の貼替え作業を一般家庭で行い易くするため、枡形枠を框から簡単に外したり、取り付けたりできる障子戸を提供する。【解決手段】縦框を従来の明かり障子より太くする。框は分解せず、枡形枠のみ着脱できる構造にするため、縦框と上下の框に溝を掘って、枡形枠を嵌める構造にする。枡形枠を積み上げる度に枡形枠の間に中板を押し込んで框の溝に押し込みながら嵌める。枡形枠の端と中板を、桟用の表と裏の板で、サンドイッチ状に挟んで、ボルトとナットで締め付けて框と桟に枡形枠を固定する。紙製ルーバーは、羽板を樹脂がラミネートされた和紙で製作する。枡形枠への羽板の取り付は、厚紙で枠を作り、その厚紙枠に紙製の羽板をハトメ、ホチキス、糊等で接着する。【選択図】図４
2019002213.tif 000002
【特許請求の範囲】
【請求項１】
明かり障子の組子を廃し、複数の枡形の枠（以下枡形枠と言う）を框に嵌合させて、桟等で固定して組立てることにより、一枚の戸とするもので、１個の枡形枠の大きさを、洗面台で洗え、かつ、食卓上で紙が貼れる大きさ、すなわち、縦横の長さを900ｍｍ以下とするもの。  
【請求項２】
紙製の羽板を複数作成し、その羽板をルーバー状に成形して戸のパネル部分に取り付けるもの。
【発明の詳細な説明】
【技術分野】
【０００１】
この発明は、明かり障子の枠と骨組みに関する発案である。
障子戸の紙の貼替え作業を一般家庭で行い易くするため、枡形枠を框から簡単に外したり、取り付けたりできる骨組の戸を作成する。
一旦、枡形枠を外して、水洗いや紙の貼替え作業を行った後、その枡形枠を框に組付けて１枚の障子戸として使用できる形状の框と桟と枡形枠を提供する。
また、枡形枠の開口部分を閉ざすパネルの材質と形状は、使用者が様々に工夫できるが、この発明では、紙製のルーバーを提案する。
【背景技術】
【０００２】
近年市販されている障子紙は、大型の巻紙がほとんどで、紙の貼り付け作業は、障子戸を横に寝かせてセットし、１枚物のロール紙を組子と框の上に転がして貼る作業方法を前提としている。
その為、一般家庭では、作業スペースの確保が困難になった。
まして、組子の糊を洗い落す作業は、交通閑散な路上でしかできない。
昔は、川や道路で障子戸を洗っていた。
そこで、障子戸の組子を廃し、組子に代えて小さな枡形枠を複数作り、その枡形枠を框に嵌合させて、１枚の障子戸を組上げることとした。
従来の障子戸は、組子が外せないので、１枚の戸を１度に貼らなければならないが、着脱できる枡形枠であれば、１個づつ洗面所で洗え、食卓で紙貼りができる。
また、市街地の宅地は、年々矮小化しており、庭も狭く、自動車の車庫も確保する必要から、目隠しの塀も作れない状況である。
そのため，人の視線を遮断する機能がある戸が必要になった。
さらに，従来は省エネルギー観点から、室内の密閉性が奨励されて来たが、近年は、逆に健康維持のために換気の基準値が定められる等、優れた通風機能も必要になった。
その対策としてレースのカーテンが普及しているが、電灯を点けた夜間の室内は，外から丸見えで、視線を遮断する機能は全く無い。
一方、従来の明かり障子も、人の視線は遮れるが、通風機能は無い。
そこで、枡形枠に紙製のルーバーを取り付けることにより、通風、採光、視線遮断に優れた引戸を作ることとした。
既存の引戸の鴨井と敷居の凹凸幅を測定したところ、見込み４５ｍｍの框を組むこと、框に枡形枠を嵌合させるための溝幅を２1ｍｍとすること、枡形枠の見込み幅を２０ｍｍとすることがそれぞれ可能である。
また、羽板の設置幅を４０センチ程、羽板を枡形枠に接着する糊しろの幅を２０ｍｍとすることができる。
【先行技術文献】
【特許文献】
【０００３】
【特許文献１】特開平11-241572号公報
【特許文献２】特開2005-299210（P2005-29210A）
【発明の概要】
【発明が解決しようとする課題】
【０００４】
従来の明かり障子戸は、框に組子を強く組付けることにより、ウイングの滑動による振動や衝撃に耐える構造である。
それに比べ、この発明は枡形枠を框に嵌合させるものであるから、框と桟で構成する骨組みだけで、引き戸を開け閉めする際の振動や衝撃に耐える構造にする事が課題である。
枡形枠の補強効果は期待でいない。
また、使用者の紙の貼り替え作業を容易にすることが目的であるから、框から枡形枠を何度でも着脱できることが課題である。
さらに、紙製ルーバーを風に耐える強度にすることが課題である。
【課題を解決するための手段】
【０００５】
框組みだけで滑動の振動や衝撃に耐え得る構造にするため、縦框の見込みを４５ｍｍ、見付けを６０ｍｍと約２倍の太さにする。
従来の縦框は見込２７ｍｍ見付３０ｍｍ程度である。
框の分解をせず、枡形枠を着脱できる構造にするため、框に幅２１ｍｍ深さ１５ｍｍの溝を掘って、枡形枠を嵌合させる。
横桟と縦桟を表板、中板、裏板の三枚にすることで、枡形枠と中板を表板と裏板でサンドイッチ状に挟み、ボルトとナットで締め付け、枡形枠を框と桟で戸に固定する。
紙製ルーバーの羽板の材料として、樹脂がラミネートされた和紙を採用すれば、強風に耐える羽板を作成できる。
枡形枠への羽板の取り付は、厚さ１ｍｍ程度の厚紙で枠を作り、その厚紙の枠に紙製の羽板をハトメ、ホチキス、糊等で接着する。
この厚紙の枠に和紙の羽板を接着した、紙製ルーバーを枡形枠に糊で接着すれば、強風に耐える紙製ルーバー張った枡形枠が製作できる。
【発明の効果】
【０００６】
本発明の「枡形枠積上げ式障子戸」は、枡形枠を框から外せるので枡形枠を小さくすれば、洗面所で枠を洗え、食卓で紙の貼替えが楽にできる。
また，室内だから、作業中に障子紙が風に煽られる事もない。
枡形枠の裏と表に二重に和紙を貼れば、断熱と遮音が優れた障子になる。
従って、季節に応じ、一重にしたり二重にしたりして，採光と断熱の調整ができる。
枡形枠の紙を貼る面と框の見込み幅から構成される空間に紙製のルーバーや文具ケースを取付けることができる。
さらに、紙を和紙にすれば，墨絵を書いて枡形枠に貼れば、霧吹きだけで、裏打ちをしなくても墨絵を平滑にできる。
本発明の「紙製ルーバー」は，採光と視線遮断機能に優れている和紙の特徴を活かしながら、風通しも良くする効果がある。
さらに、従来のブラインドは、清掃作業が困難で羽板を歪めてしまうことが多く、かつ．高価でもあるが、ここに提案する紙製ルーバーは、安価に提供できるので度々新調できるうえ、羽板を一枚ずつ清掃する手間が要らない。
【図面の簡単な説明】
【０００７】
【図１】「枡形枠積上げ式障子戸」に必要な部材の斜視図である。
【図２】同上を実施する場合の框の寸法案である。
【図３】同上を実施する場合の枡形枠と縦桟・横桟の寸法案である。
【図４】同上を実施する場合の各部材の連結方法案である。（実施例１）
【図５】「紙製ルーバー」を成形する寸法案である。
【図６】同上を実施する羽板の接着方法と斜視図である。（実施例２）
【図７】障子戸に「紙製ルーバー」や「文具ケース」を嵌める参考図。
【発明を実施するための形態】
【０００８】
框を柱や壁に立て掛けて、枡形枠だけを着脱して、洗面所で洗い、食卓で紙を貼ることができる頑丈な框の製作。
また、従来の明かり障子の優れた特徴である採光と視線遮断機能に加えて、通風機能を備えた明かり障子の製作。
【実施例】
【０００９】
まず、図１及び図２に示した寸法と形状の木製部材を製作する。
図３「框の連結（仕口）」のとおり，上下の框と縦框の仕口は、相欠継ぎで合わせ、電動ドライバー用の木ネジで固定する。
これにより、滑動や搖動に耐え得る、頑丈な框ができる。
【００１０】
次に、図３に示した枡形枠１２個と、横桟５組、縦桟１組を作成する。
横桟１組は、表板、中板、裏板と左右に分けて６枚である。
図４の「枡形枠の組付」の示すとおり、枡形枠を一段積み上げる毎に、横桟の中板を左右方向に押し込みながら枡形枠の上に重ねて積み上げる。
縦桟は、表板、中板、裏板の３枚１組である。
枡形枠１〜２段積み上げたところで、縦桟の中板を上下の框の溝に差し込ながら、既に積み上げている左右の枡形枠と左右の横桟の中板との間に押し込んで、左右の枡形枠を框に嵌める。
その後、左右の枡形枠を５段目まで、左右の横桟の中板を４段目まで順次、積み上げるが、最上段の枡形枠を積み上げるときは、上框の溝に枡形枠を押し上げながら嵌め、横桟用の中板を５段目の枡形枠と最上段の枡形枠の間に押し込む。
最後に図４の「桟の取付方法」に示すとおり、中板と枡形枠の上端を横桟用表板と縦桟用表板と、それぞれの裏板でサンドイッチ状に挟んでボルトとナットで締めて戸に固定する。
枡形枠を強く挟み付ければ、開け閉めの際の振動や衝撃に耐える嵌合ができ，枡形枠が脱落することはない。
【００１１】
図５の「最上段と最下段の羽板」及び「中段の羽板」の図が示寸法で、樹脂がラミネートされた障子紙から羽板を切り出す。
「最上段と最下段の羽板」計２枚，「中段の羽板」は１０枚である。
図６に示すとおり、羽板の両端を直角に折り曲げ、厚紙で「紙製ルーバー枠」を作って，そのルーバー枠に羽板をハトメやホッチキスで取り付ける。
実施例では、羽板を取付ける角度は、３０°である。
この紙製ルーバーを枡形枠に嵌めれば、通風が良い明かり障子が完成する。
【産業上の利用可能性】
【００１２】
本発明の「枡形枠積上げ式障子戸」は、引き戸ばかりでなく、ドアつまり搖動ウイングにも使用できる。
文具ケース等を取付ければ、机上のスペースを節約できる。
軽金属で框や桟を製作すれば、洋風住宅にもマッチする。
安価で、作業が簡単なので、季節に応じた模様替えが度々できる。
枡形枠には、墨絵を貼ったり、写真や自作ノカレンダーを貼ったりできる。
「紙製ルーバー」は、羽板を厚紙にすれば、日差しが強すぎる場所や、足元の傷みやすい場所にも組付けできる。
【符号の説明】
【００１３】
図４の符合は、下記のとおりである。
a  框
b  縦桟の中板
c  框の嵌合用の溝
d  枡形枠に和紙を貼ったもの。
e  横桟の中板
f  横桟の表板
g  縦桟の表板
横桟と縦桟の裏板については符合を省略した。
【図１】
2019002213.tif 000003
【図２】
2019002213.tif 000004
【図３】
2019002213.tif 000005
【図４】
2019002213.tif 000006
【図５】
2019002213.tif 000007
【図６】
2019002213.tif 000008
【図７】
2019002213.tif 000009